(57)【特許請求の範囲】
【請求項１】
番組情報を表示する装置であって、
番組情報を取得する番組情報取得部と、
前記番組情報取得部が取得した番組情報を表示する番組情報表示部と、
番組または番組属性に関するユーザの嗜好と、当該番組または当該番組属性の重要度とを記述したユーザ嗜好情報を記憶する記憶部と、
を備え、
前記番組情報表示部は、前記番組情報を表示する際に、
前記ユーザ嗜好情報が記述している嗜好に合致する番組の番組情報を３Ｄ表示し、
前記ユーザ嗜好情報が記述している当該番組または当該番組の重要度が高いほど、前記３Ｄ表示の飛び出し量を大きくし、
番組映像を取得して３Ｄ表示形式で表示しているときに、番組情報を同一画面に表示すべき旨の指示を受け取ると、前記番組映像を２Ｄ表示形式に切り替えて表示するとともに、前記番組情報を２Ｄ表示形式で表示し、前記番組情報の中に、前記ユーザ嗜好情報が記述している嗜好に合致する番組の番組情報が含まれている場合は、その合致する番組情報を３Ｄ表示する
ことを特徴とする番組情報表示装置。
【請求項２】
前記番組情報表示部は、前記番組情報を表示する際に、
放送時刻が現在時刻に近い番組ほど、より画面前方に飛び出して見えるように前記３Ｄ表示の飛び出し量を調整する
ことを特徴とする請求項１記載の番組情報表示装置。
【請求項３】
前記番組情報表示部は、前記番組情報を表示している間に、
所定周期で現在時刻を繰り返し取得し、
現在時刻を取得する毎に、放送時刻が現在時刻に近い番組ほど、より画面前方に飛び出して見えるように前記３Ｄ表示の飛び出し量を再調整する
ことを特徴とする請求項２記載の番組情報表示装置。
【請求項４】
前記番組情報表示部は、
３Ｄ表示している番組情報に対応する番組映像を表示すべき旨の指示を受け取ると、当該番組映像を取得して３Ｄ表示形式で表示開始する
ことを特徴とする請求項１から３のいずれか１項記載の番組情報表示装置。
【請求項５】
前記番組情報表示部は、
番組映像を取得して３Ｄ表示形式で表示しているときに、番組情報を同一画面に表示すべき旨の指示を受け取った後、さらに前記番組情報を画面から消去して番組映像のみを画面表示すべき旨の指示を受け取ると、当該番組映像を３Ｄ表示形式に戻して画面表示する
ことを特徴とする請求項１記載の番組情報表示装置。
【請求項６】
前記番組情報表示部は、
番組情報を３Ｄ表示する際に、当該番組情報の表示輝度を、３Ｄ表示しないときよりも高くする
ことを特徴とする請求項１から５のいずれか１項記載の番組情報表示装置。
【請求項７】
前記番組情報表示部は、
番組情報を３Ｄ表示する際に、当該番組情報が表示する情報量を、３Ｄ表示しないときよりも多くする
ことを特徴とする請求項１から６のいずれか１項記載の番組情報表示装置。
【請求項８】
前記番組情報表示部は、
番組情報を３Ｄ表示する際に、当該番組情報の文字サイズを、３Ｄ表示しないときよりも大きくする
ことを特徴とする請求項１から７のいずれか１項記載の番組情報表示装置。
【請求項９】
前記番組情報表示部は、
番組情報を３Ｄ表示する際に、当該番組情報の表示色を、３Ｄ表示しないときとは異なる表示色に変える
ことを特徴とする請求項１から８のいずれか１項記載の番組情報表示装置。
【請求項１０】
前記番組情報表示部は、
番組情報を３Ｄ表示する際に、３Ｄ表示する番組情報が他の番組情報を覆い隠さないように、３Ｄ表示する番組情報の描画パラメータを調整する
ことを特徴とする請求項１から９のいずれか１項記載の番組情報表示装置。
【請求項１１】
前記記憶部は、前記ユーザが番組を視聴した履歴を記憶し、
前記番組情報表示部は、前記番組情報を表示する際に、
前記履歴上に記録されている視聴頻度が高い番組ほど、より画面前方に飛び出して見えるように前記３Ｄ表示の飛び出し量を調整する
ことを特徴とする請求項１から１０のいずれか１項記載の番組情報表示装置。
【請求項１２】
前記番組情報取得部は、
ネットワーク上の番組情報提供装置より、将来放送される番組の人気予測を取得し、
前記番組情報表示部は、前記番組情報を表示する際に、
前記番組情報取得部が取得した前記人気予測が高い番組ほど、より画面前方に飛び出して見えるように前記３Ｄ表示の飛び出し量を調整する
ことを特徴とする請求項１から１１のいずれか１項記載の番組情報表示装置。
【請求項１３】
前記記憶部は、前記重要度が高いことを示唆する文字列を記述した文字列リストを記憶しており、
前記番組情報表示部は、前記番組情報を表示する際に、
前記文字列リストに記述されている文字列が番組情報内に多く含まれる番組ほど、より画面前方に飛び出して見えるように前記３Ｄ表示の飛び出し量を調整する
ことを特徴とする請求項１から１２のいずれか１項記載の番組情報表示装置。
【請求項１４】
前記記憶部は、番組の出演者名を記述した出演者名リストを記憶しており、
前記番組情報表示部は、前記番組情報を表示する際に、
前記出演者名リストに記述されている出演者名が当該番組の出演者として番組情報内に多く含まれる番組ほど、より画面前方に飛び出して見えるように前記３Ｄ表示の飛び出し量を調整する
ことを特徴とする請求項１から１３のいずれか１項記載の番組情報表示装置。
【請求項１５】
前記記憶部は、録画予約または視聴予約されている番組の識別子を記述した予約リストを記憶し、
前記番組情報表示部は、前記番組情報を表示する際に、
前記予約リストに記述されている番組は、その他の番組よりも画面前方に飛び出して見えるように前記３Ｄ表示の飛び出し量を調整する
ことを特徴とする請求項１から１４のいずれか１項記載の番組情報表示装置。
【請求項１６】
前記番組情報表示部は、
番組情報を３Ｄ表示する際に、３Ｄ表示する番組情報が他の番組情報と重なる場合には、３Ｄ表示する番組情報を半透明にする
ことを特徴とする請求項１から１５のいずれか１項記載の番組情報表示装置。
【請求項１７】
前記番組情報表示部は、
番組情報を３Ｄ表示する際に、３Ｄ表示する番組情報が他の番組情報と重なる場合には、番組情報のレイアウトを変更することにより、３Ｄ表示する番組情報が他の番組情報を完全に隠してしまわないようにする
ことを特徴とする請求項１から１６のいずれか１項記載の番組情報表示装置。
【請求項１８】
前記番組情報表示部は、
番組情報を３Ｄ表示する際に、３Ｄ表示する番組情報が他の番組情報と重なる場合には、番組セル間の間隔を広げることにより、番組情報のレイアウトを変更する
ことを特徴とする請求項１７記載の番組情報表示装置。
【請求項１９】
前記番組情報表示部は、
番組情報を３Ｄ表示する際に、３Ｄ表示する番組情報が他の番組情報と重なる場合には、互いに重なり合う番組セルのうち少なくともいずれかのサイズを小さくすることにより、番組情報のレイアウトを変更する
ことを特徴とする請求項１７記載の番組情報表示装置。
【請求項２０】
前記番組情報表示部は、
番組情報を３Ｄ表示する際に、３Ｄ表示する番組情報が他の番組情報と重なる場合には、互いに重なる番組セルのうち少なくともいずれかのサイズを小さくした後、サイズを小さくした番組セル内の文字間隔を狭くする
ことを特徴とする請求項１９記載の番組情報表示装置。
【請求項２１】
前記番組情報表示部は、
番組情報を３Ｄ表示する際に、３Ｄ表示する番組情報が他の番組情報と重なる場合には、互いに重なる番組セルのうち少なくともいずれかのサイズを小さくした後、サイズを小さくした番組セル内の少なくとも一部の文字サイズを小さくする
ことを特徴とする請求項１９記載の番組情報表示装置。
【請求項２２】
前記番組情報表示部は、
文字の縁取りを除去することにより、前記サイズを小さくした番組セル内の文字サイズを小さくする
ことを特徴とする請求項２１記載の番組情報表示装置。
【請求項２３】
前記番組情報表示部は、
文字フォントをサイズのより小さいものに変更することにより、前記サイズを小さくした番組セル内の文字サイズを小さくする
ことを特徴とする請求項２１記載の番組情報表示装置。
【請求項２４】
前記番組情報表示部は、
番組情報を３Ｄ表示する際に、３Ｄ表示する番組情報が他の番組情報と重なる場合には、互いに重なり合う番組セルのうち下側に配置されるものの中に記載されている番組情報文字列を、上側に配置される番組セルと重ならないようにずらした位置に再配置することにより、番組情報のレイアウトを変更する
ことを特徴とする請求項１７記載の番組情報表示装置。
【請求項２５】
請求項１から２４のいずれか１項記載の番組情報表示装置を備えたことを特徴とするテレビジョン受像機。
【請求項２６】
番組情報を表示する方法であって、
番組情報を取得する番組情報取得ステップと、
前記番組情報取得ステップで取得した番組情報を表示する番組情報表示ステップと、
番組または番組の属性に関するユーザの嗜好と、当該番組または当該番組の属性の重要度と、を記述したユーザ嗜好情報を記憶した記憶装置から、前記ユーザ嗜好情報を取得するステップと、
を有し、
前記番組情報表示ステップでは、前記番組情報を表示する際に、
前記ユーザ嗜好情報が記述している嗜好に合致する番組の番組情報を３Ｄ表示し、
前記ユーザ嗜好情報が記述している当該番組または当該番組の重要度が高いほど、前記３Ｄ表示の飛び出し量を大きくし、
番組映像を取得して３Ｄ表示形式で表示しているときに、番組情報を同一画面に表示すべき旨の指示を受け取ると、前記番組映像を２Ｄ表示形式に切り替えて表示するとともに、前記番組情報を２Ｄ表示形式で表示し、前記番組情報の中に、前記ユーザ嗜好情報が記述している嗜好に合致する番組の番組情報が含まれている場合は、その合致する番組情報を３Ｄ表示する
ことを特徴とする番組情報表示方法。
【請求項２７】
請求項２６記載の番組情報表示方法をコンピュータに実行させることを特徴とする番組情報表示プログラム。
【請求項２８】
請求項２７記載の番組情報表示プログラムを格納したことを特徴とするコンピュータ読取可能な記憶媒体。
【発明の詳細な説明】
【技術分野】
【０００１】
本発明は、番組情報を表示する技術に関するものである。
【背景技術】
【０００２】
近年、３Ｄ表示形式で映像を表示することができる映像表示装置が増え、３Ｄ映像に対する関心が高まっている。また、２Ｄ表示形式の映像を３Ｄ表示形式に変換する技術も登場している。
【０００３】
下記特許文献１には、電子番組表の表示対象となっていない番組数などの情報を、当該番組表セルの３Ｄ表示によって示唆する技術が記載されている。同文献では、番組表全体としては２Ｄ表示形式で表示し、上記情報を有するセルを３Ｄ表示形式に変換している。
【０００４】
下記特許文献２（請求項９〜１１、図９など）には、現在選択している番組セルを３次元表示する技術が記載されている。
【先行技術文献】
【特許文献】
【０００５】
【特許文献１】国際公開ＷＯ２００７／０９９８０３号公報
【特許文献２】特開２００８−１８２２８７号公報
【発明の概要】
【発明が解決しようとする課題】
【０００６】
上記特許文献１〜２に記載の技術では、番組セルを３Ｄ表示する技術が記載されているが、３Ｄ表示されている番組セルが個々のユーザにとって固有の特別な意義を有するものではない。
【０００７】
例えば特許文献１では、３Ｄ表示されている番組セルは表示されていない情報が隠れていることを示唆するに過ぎず、ユーザ固有の情報を示唆するものではない。また特許文献２では、現在選択している番組セルを３Ｄ表示するものであるため、選択を変更すれば３Ｄ表示される番組セルも変わり、ユーザ固有の情報を示唆するものではない。
【０００８】
本発明は、上記のような課題を解決するためになされたものであり、３Ｄ表示映像を用いて、ユーザが所望する番組を容易に見つけることができる番組情報表示技術を提供することを目的とする。
【課題を解決するための手段】
【０００９】
本発明に係る番組情報表示装置は、番組に対するユーザの嗜好に合致する番組情報を３Ｄ表示する。また、当該番組情報の重要度に応じて、３Ｄ表示の飛び出し量を調整する。
【発明の効果】
【００１０】
本発明に係る番組情報表示装置によれば、ユーザの嗜好に合致する番組情報ほど前面に飛び出て３Ｄ表示されるので、ユーザは所望する番組を容易に見つけることができる。
【図面の簡単な説明】
【００１１】
【図１】実施形態１に係る番組情報表示装置２００の機能ブロック図である。
【図２】記憶部２２０が格納するユーザ嗜好情報２２１の構成例およびデータ例を示す図である。
【図３】画面表示部２４０が番組表を２Ｄ表示形式で画面表示している様子を示す画面イメージ図である。
【図４】画面表示部２４０が番組表の一部の番組セルを３Ｄ表示形式で画面表示している様子を示す画面イメージ図である。
【図５】実施形態２における番組表の画面イメージ図である。
【図６】図５の画面状態のままで２時間経過したときの画面イメージ図である。
【図７】現在時刻に近い番組セルの飛び出し量を大きくする動作の変形例を示す画面イメージ図である。
【図８】番組セルの表示形式に合わせて番組映像の表示形式を選択する動作例を示す図である。
【図９】番組映像と番組表を同じ画面に画面表示する際の画面イメージ図である。
【図１０】番組セルの情報量を増やした構成例を示す図である。
【図１１】番組セルの文字サイズを大きくした構成例を示す図である。
【図１２】実施形態６に係る番組情報表示装置２００の機能ブロック図である。
【図１３】番組セルを半透明にした表示例を示す図である。
【図１４】番組セル間の間隔を広げた表示例を示す図である。
【図１５】番組セルのサイズを小さくした表示例を示す図である。
【図１６】番組セルのサイズを小さくした上でそのセル内の文字間隔を狭くした表示例を示す図である。
【図１７】番組セル内の文字列サイズを小さくした表示例を示す図である。
【図１８】番組セル内の文字列配置を変更した表示例を示す図である。
【図１９】実施形態８に係るテレビ１の構成を示すブロック図である。
【発明を実施するための形態】
【００１２】
＜実施の形態１＞
図１は、本発明の実施形態１に係る番組情報表示装置２００の機能ブロック図である。番組情報表示装置２００は、番組情報を画面表示する装置であり、番組情報取得部２１０、記憶部２２０、番組情報表示部２３０、画面表示部２４０を備える。
【００１３】
番組情報取得部２１０は、番組情報を記述した電子番組表を取得する。電子番組表を取得する取得元は、例えばネットワークを介して番組情報提供サーバなどに接続して取得する、放送波に重畳されている番組情報を取得する、番組情報を記録した記憶媒体から電子番組表を読み出して取得する、などの形態が考えられる。
【００１４】
記憶部２２０は、番組または番組属性に対するユーザの嗜好を記述したユーザ嗜好情報２２１を記憶する。ユーザ嗜好情報２２１は、例えば、ユーザが好む番組ジャンル、特定の番組名、チャンネル、などのユーザが所望する番組またはその属性を記述する。ユーザは、番組情報表示装置２００に対して好みの番組ジャンルなどをユーザ嗜好情報２２１の記述内容として指定し、番組情報表示装置２００は、指定された記述内容を記憶部２２０に格納する。
【００１５】
番組情報表示部２３０は、番組情報取得部２１０が取得した番組情報と、記憶部２２０が格納しているユーザ嗜好情報を用いて、番組表を所定の表示形式に整形し、画面表示部２４０に画面表示させる。画面表示部２４０は、その番組表を画面表示する。
【００１６】
番組情報取得部２１０、番組情報表示部２３０は、これらの機能を実現する回路デバイスなどのハードウェアを用いて構成することもできるし、マイコンやＣＰＵ（Ｃｅｎｔｒａｌ  Ｐｒｏｃｅｓｓｉｎｇ  Ｕｎｉｔ）のような演算装置とその動作を規定するソフトウェアを用いて構成することもできる。
【００１７】
記憶部２２０は、ＨＤＤ（Ｈａｒｄ  Ｄｉｓｋ  Ｄｒｉｖｅ）のような記憶装置を用いて構成することができる。画面表示部２４０は、液晶表示装置のような画面表示デバイスを用いて構成することができる。番組情報表示部２３０と画面表示部２４０は、一体的に構成してもよい。以下では説明の便宜上、両者を分けて述べる。
【００１８】
図２は、記憶部２２０が格納するユーザ嗜好情報２２１の構成例およびデータ例を示す図である。ここではテーブル形式のデータ例を示したが、データ形式は任意でよい。ユーザ嗜好情報２２１は、属性種別列２２１１、属性値列２２１２、属性重要度列２２１３を有する。
【００１９】
属性種別列２２１１は、ユーザが所望する番組属性の種別を記述している。ユーザは、例えば好みの番組名、好みの番組ジャンルなどの番組属性を、自分の好みとしてユーザ嗜好情報２２１に記述することができる。いずれの番組属性に対して好みを設定したかを明示するため、本列を設けた。
【００２０】
属性値列２２１２は、ユーザが設定した好みの番組属性値を記述する。属性種別列２２１１の値が「ジャンル」である場合は、例えば「スポーツ番組」「ドラマ」などの番組ジャンル名が本列に記述されることになる。属性種別列２２１１の値が「番組名」である場合は、番組名そのもの、または放送チャンネルと時間帯などのような、特定の番組を識別することのできる属性情報が、本列に記述されることになる。
【００２１】
属性重要度列２２１３は、属性値列２２１２の値がユーザにとってどの程度重要であるかの度合いを示す値を記述する。一般的には、ユーザが特定の番組を好みとして指定した場合、当該番組は見逃したくないであろうと想定されるので、ユーザは本列の値を高く設定すると思われる。ユーザが特定の番組ジャンルを好みとして指定した場合、当該番組ジャンルに属する番組はできれば見たいという程度であると想定されるので、ユーザは本列の値をさほど高くは設定しないと思われる。
【００２２】
以上、本実施形態１に係る番組情報表示装置２００の構成を説明した。次に、番組情報表示装置２００が番組情報を３Ｄ表示する動作について説明する。
【００２３】
図３は、画面表示部２４０が番組表を２Ｄ表示形式で画面表示している様子を示す画面イメージ図である。番組情報表示部２３０は、画面表示部２４０に番組表を表示させるとき、記憶部２２０からユーザ嗜好情報２２１を取得し、その記述に合致する番組情報が画面内に存在するか否かを判定する。合致する番組情報が画面内に存在しない場合、番組情報表示部２３０は、２Ｄ表示形式の番組表画面イメージを生成し、画面表示部２４０に画面表示させる。
【００２４】
図４は、画面表示部２４０が番組表の一部の番組セルを３Ｄ表示形式で画面表示している様子を示す画面イメージ図である。ここでは、ユーザの目に映る画面イメージを記載した。
【００２５】
番組情報表示部２３０は、ユーザ嗜好情報２２１の記述に合致する番組情報が画面内に存在する場合、当該番組情報を表示する番組セルを３Ｄ表示形式に変換し、画面表示部２４０に画面表示させる。
【００２６】
番組セルを３Ｄ表示形式に変換する手法としては、任意の公知技術を用いることができる。例えば、左右両眼の視差を利用した視差バリア技術を採用したディスプレイデバイスを用いて画面表示部２４０を構成し、画面表示部２４０の機能によって番組セルを飛び出し表示させることが考えられる。その他、ユーザが３Ｄ表示用の眼鏡デバイスをあらかじめ装着しておき、番組情報表示装置２００と３Ｄ表示眼鏡デバイスが連動して３Ｄ表示を提供するようにしてもよい。
【００２７】
図４では、図２に例示したユーザ嗜好情報２２１の１行目「番組名４」に合致する番組セルが画面内に存在するので、番組情報表示部２３０は、当該番組セルを視覚的に飛び出させて３Ｄ表示する。ここでは２つの表示例を示した。図４上図は番組セルに側面を付加して立体表示した例、図４下図は番組セルに側面を付加せずに飛び出し表示した例を示した。
【００２８】
図４上図では、画面イメージとしての説明便宜上、立体表示する例を示したが、ユーザ嗜好情報２２１に合致する番組セルを３Ｄ表示して飛び出させるとき、必ずしも当該番組セルを立体的に表示する必要はない。左右両眼の視差を利用することにより、必ずしも立体的に画面表示しなくても、図４下図に示すような画面イメージによって、十分に飛び出し感が得られるからである。この点は以下の実施形態でも同様である。
【００２９】
図４上下図いずれの場合でも、３Ｄ表示している番組セルは画面表示部２４０をはみ出しているが、これはユーザから見た画面イメージを示したものである。ユーザから見ると当該番組セルは、画面表示部２４０の実際の位置よりも手前に近づいて見えるので、図４のように番組セルが画面表示部２４０からはみ出して見える場合もある。
【００３０】
すなわち、本実施形態１において３Ｄ表示する番組セルは、単に斜視図的に立体表示するのではなく、左右両眼の視差による視覚効果を積極的に利用して３Ｄ表示効果を発揮させるものである。
【００３１】
なお、番組情報表示部２３０は、ユーザ嗜好情報２２１の記述に合致する番組セルを３Ｄ表示形式で表示させる際に、その飛び出し量を、当該番組情報に対応する属性重要度列２２１３の値に応じて調整することもできる。例えば、重要度の高い番組情報を記載する番組セルは飛び出し量を大きくしてユーザの目に留まりやすくする、などの調整手法が考えられる。
【００３２】
図４において、番組情報表示部２３０は、番組セルを３Ｄ表示する際に、その周辺にある番組セルが記述している情報が隠れないように、３Ｄセルの飛び出し量、配置位置、セルサイズ、文字サイズなどの描画パラメータを適宜調整するようにしてもよい。以下の実施形態において番組セルを３Ｄ表示させる場合も同様である。
【００３３】
＜実施の形態１：まとめ＞
以上のように、本実施形態１に係る番組情報表示装置２００は、ユーザ嗜好情報２２１が記述しているユーザの番組嗜好に合致する番組セルを、３Ｄ表示形式で画面表示して飛び出しているように見せる。これにより、ユーザは自分の好みに合った番組情報を番組表内で即座に見つけることができるので、３Ｄ表示効果を番組表上の番組選択操作において有効活用することができる。
【００３４】
また、本実施形態１に係る番組情報表示装置２００は、重要度の高い番組セルが大きく飛び出して見えるように３Ｄ表示の飛び出し高さを調整する。これにより、ユーザはその番組が自分の好みにどの程度適合しているかを視覚的に把握できるので、好みの番組を番組表上で選択し易くなる。すなわち、本実施形態１で説明した手法によれば、ユーザナビゲーションにおいて３Ｄ表示を効果的に活用することができるといえる。
【００３５】
＜実施の形態２＞
実施形態１では、ユーザの好み、重要度に応じて番組セルを３Ｄ表示させる動作例を説明した。一方、ユーザが番組表上で番組を選択する際の心理として、現在時刻に近い番組を選択する場面が多いと思われる。そこで本発明の実施形態２では、現在時刻を加味して番組セルを３Ｄ表示する例を説明する。番組情報表示装置２００の構成は、実施形態１と同様である。
【００３６】
図５は、本実施形態２における番組表の画面イメージ図である。ここでは、ユーザ嗜好情報２２１に合致する番組が２つ（番組名４と番組名１０）存在していると仮定する。番組情報表示部２３０は、実施形態１で説明した動作にしたがって、ユーザ嗜好情報２２１に合致する番組セルを３Ｄ表示形式で画面表示させる。
【００３７】
本実施形態２において、番組情報表示部２３０は、ユーザ嗜好情報２２１が記述している属性重要度２２１３の値に加えて、またはこれに代えて、放送時刻が現在時刻に近い番組セルほどより前面に突出して見えるように、当該番組セルの飛び出し量を調整する。
【００３８】
図５において、現在時刻が１８：００であると仮定すると、番組情報表示部２３０は、放送時刻が１８：００に近い番組名１０の番組セルを通常よりも大きく飛び出させる。現在時刻から遠い番組名４の番組セルは、通常通りの飛び出し量としてもよいし、現在時刻からの距離に応じて飛び出し量を小さくしてもよい。
【００３９】
図６は、図５の画面状態のままで２時間経過したときの画面イメージ図である。番組情報表示部２３０は、所定時間間隔（例えば３０秒毎）で現在時刻を取得し、番組表の表示状態を更新する。すなわち、時間が経過すると、現在時刻と各番組セルの時間的距離が変化するので、これに合わせて番組セルの飛び出し量を更新する。
【００４０】
図６における現在時刻は２０：００であるため、放送時刻がこれに最も近い番組名４の番組セルがより大きく飛び出し、番組名１０の番組セルは図５よりも飛び出し量を小さくする。この処理を所定時間間隔で繰り返すことにより、番組表を画面表示させたままの状態でも、現在時刻と番組セルの飛び出し量の対応関係を適切に維持することができる。
【００４１】
図７は、現在時刻に近い番組セルの飛び出し量を大きくする動作の変形例を示す画面イメージ図である。図５〜図６では、ユーザ嗜好情報２２１の記述に合致する番組セルのみ飛び出し量を調整することとしたが、放送時刻が現在時刻に最も近い番組セルを、ユーザ嗜好情報２２１の記述によらず全て３Ｄ表示するようにしてもよい。さらには、ユーザ嗜好情報２２１の記述によらず、現在時刻に最も近い番組セルを頂点として、放送時刻がこれから離れるにしたがって飛び出し量を次第に少なくするようにしてもよい。
【００４２】
図５〜図７において、番組情報表示部２３０は、３Ｄ表示する番組セルの飛び出し量、配置位置などを決定する際に、実施形態１で説明したように周辺セル内の情報が隠れないようにこれら描画パラメータを調整してもよい。特に本実施形態２では、現在時刻などの属性に応じて３Ｄ表示の飛び出し量を調整するようにしているため、番組情報表示部２３０がこの調整を実施するときに周辺セルを覆い隠さないように配慮すると、処理効率がよいと思われる。
【００４３】
＜実施の形態２：まとめ＞
以上のように、本実施形態２に係る番組情報表示装置２００は、放送時刻が現在時刻に近い番組セルをより大きく飛び出させて３Ｄ表示する。これは、現在時刻に近い番組ほどより重要度が高いという仮定に基づく。この動作によれば、時刻の観点を加味した番組選択ナビゲーションをユーザに提供することができる。
【００４４】
＜実施の形態３＞
実施形態１〜２において、番組セルを３Ｄ表示することを説明したが、３Ｄ表示形式で画面表示することができる機能が備わっている装置であれば、番組映像自体を３Ｄ表示することもできるのが通常である。そこで、本発明の実施形態３では、番組表における３Ｄ表示と番組映像自体の３Ｄ表示を関連付けた動作例を説明する。
【００４５】
本実施形態３において、番組情報表示部２３０は、番組表に対応する番組映像を取得する機能を備える。具体的には、放送波から番組映像を取得してもよいし、ＨＤＤなどの記憶媒体に格納されている番組映像を取得してもよい。その他の構成は、実施形態１〜２と同様である。
【００４６】
ユーザは、番組情報表示部２３０が提供する番組表上で、番組セルを選択し、当該番組を画面表示するように番組情報表示装置２００へ指示する。番組情報表示部２３０は、当該番組映像を取得し、画面表示部２４０に画面表示させる。このとき、先にユーザが選択した番組セルが３Ｄ表示形式で表示されているものであった場合、番組情報表示部２３０は、当該番組映像を３Ｄ表示形式で画面表示させる。当該番組映像が元来から３Ｄ表示形式で作成されていればそのまま画面表示させ、２Ｄ表示形式で作成されていれば３Ｄ表示形式に変換して画面表示させる。２Ｄ−３Ｄ変換の手法は、任意の公知技術を用いることができる。
【００４７】
図８は、番組セルの表示形式に合わせて番組映像の表示形式を選択する動作例を示す図である。番組情報表示部２３０は、３Ｄ表示形式で表示している番組セル（図８の番組名４）をユーザが選択した場合は、当該番組映像を３Ｄ表示形式で画面表示させる。２Ｄ表示形式で表示している番組セル（図８の番組名７）をユーザが選択した場合は、当該番組映像を２Ｄ表示形式で画面表示させる。
【００４８】
＜実施の形態３：まとめ＞
以上のように、本実施形態３に係る番組情報表示装置２００は、３Ｄ表示形式で表示している番組セルをユーザが選択すると、その番組映像を３Ｄ表示形式で画面表示する。これにより、番組セルの表示形式と番組映像の表示形式が対応しているので、番組映像の表示効果が２Ｄ／３Ｄいずれであるかを直感的に把握することができる。
【００４９】
特に、３Ｄ表示眼鏡などの外部デバイスの機能によって３Ｄ映像を提供する場合は、ユーザがその外部デバイスをあらかじめ準備する必要がある。本実施形態３によれば、番組セルの表示形式によって番組映像の表示形式を事前通知することができるので、ユーザにとって便宜である。また、何らの通知なく突然３Ｄ映像を提示すると、画面が故障したのかと誤解させてしまう可能性もあるので、その観点でも事前通知することは有用であると考えられる。
【００５０】
＜実施の形態４＞
以上の実施形態１〜３では、番組表を表示する画面と番組映像を表示する画面は別であることを前提として説明したが、番組表と番組映像を１つの画面に同時表示させることもできる。本発明の実施形態４では、その１動作例を説明する。番組情報表示装置２００の構成は、実施形態１〜３と同様である。
【００５１】
図９は、番組映像と番組表を同じ画面に画面表示する際の画面イメージ図である。図９（ａ）は番組映像を３Ｄ表示形式で画面表示している際の画面イメージを示し、図９（ｂ）は図９（ａ）の状態で同じ画面に番組表を画面表示させた際の画面イメージを示す。
【００５２】
図９（ａ）において、番組映像を３Ｄ表示形式で画面表示しているとき、番組情報表示部２３０および画面表示部２４０は、画面全体を３Ｄ表示形式で画面表示させている。したがって画面全体に飛び出し効果が付与されていることになる。ユーザが番組情報表示装置２００の本体操作部、リモコン装置などを用いて、番組情報を同じ画面に表示すべき旨を指示すると、番組情報表示部２３０および画面表示部２４０は、画面表示を図９（ａ）から図９（ｂ）に切り替える。
【００５３】
図９（ｂ）における番組表部分の表示手法は、実施形態１〜３と同様である。すなわち、番組情報表示部２３０は、ユーザ嗜好情報２２１の記述に合致する番組セルを、３Ｄ表示形式で画面表示させる。
【００５４】
このとき、画面全体に３Ｄ表示効果が付与されていると、本来は飛び出しさせない番組セルまでも３Ｄ表示されてしまい、ユーザの好みに合致する番組セルを３Ｄ表示する意義が薄くなってしまう。また、３Ｄ表示させる番組セルに関しては、飛び出し効果が２重に付与されてしまい、画面が乱れる可能性がある。
【００５５】
そこで本実施形態４において、番組情報表示部２３０は、図９（ａ）から図９（ｂ）に画面を切り替える際に、番組映像を２Ｄ表示形式に変更する。また、番組表自体も２Ｄ表示形式で画面表示する。ユーザ嗜好情報２２１に合致する番組セルのみ、先に説明したように３Ｄ表示形式に変換して画面表示させる。これにより、番組映像の表示形式と番組セルの表示形式を整合させ、画面表示を乱さずに、番組映像の３Ｄ効果と番組セルの３Ｄ効果を双方とも発揮させることができる。
【００５６】
なお、図９（ｂ）の状態でユーザが番組表を画面から消すように番組情報表示装置２００へ指示したとき、番組情報表示部２３０は、改めて図９（ａ）の画面表示形式に戻し、３Ｄ番組映像を画面表示させる。
【００５７】
＜実施の形態５＞
以上の実施形態１〜４において、番組セルを３Ｄ表示する際に、２Ｄ表示時とは異なる画面効果や付加情報を付与してもよい。例えば、以下のような画面効果例や付加情報例が考えられる。
【００５８】
（付加効果例その１：輝度）
一般に、２Ｄ映像を３Ｄ表示形式に変換すると、画面イメージが暗くなりがちな傾向がある。そこで番組情報表示部２３０は、３Ｄ表示形式で画面表示させる番組セルについては、その他のセルよりも輝度を高くする。これにより、番組セルを違和感なく３Ｄ表示形式で表示することができる。番組セルの輝度を上げる方法としては、画像処理によって信号処理上で輝度を上げるものでもよいし、当該番組セルの背後にあるバックライトの輝度を上げることによって光学的に輝度を上げるものでもよい。
【００５９】
（付加効果例その２：色）
番組情報表示部２３０は、３Ｄ表示形式で画面表示させる番組セルについては、その他のセルとは異なる色で画面表示させてもよい。これにより、３Ｄ表示されている番組セルをより明確に識別することができる。異なる色を付与する対象は、例えば背景色でもよいし文字色でもよい。
【００６０】
（付加効果例その３：番組セル内の情報量）
図１０は、番組セルの情報量を増やした構成例を示す図である。番組情報表示部２３０は、３Ｄ表示形式で画面表示させる番組セルについては、その他のセルよりも多くの情報を当該番組セル内に記述するようにしてもよい。具体的には、３Ｄ表示する番組セルのサイズをその他のセルよりも大きくし、より多くの情報を記述することができるようにする。文字サイズは３Ｄ表示前と同じでもよいし、記述したい情報量に合わせて調整してもよい。番組セルのサイズをその他のセルよりも大きくすることにより、当該番組セルが前面に飛び出してきた視覚効果をより高めることができる。また情報量を増やすことにより、ユーザの便宜にも資する。
【００６１】
（付加効果例その４：番組セル内の文字サイズ）
図１１は、番組セルの文字サイズを大きくした構成例を示す図である。番組情報表示部２３０は、３Ｄ表示形式で画面表示させる番組セルについては、その他のセルよりも文字サイズを大きくしてもよい。これにより、当該番組セルが前面に飛び出してきた視覚効果をより高めることができる。
【００６２】
（付加効果例その５：上記の組合せ）
上記付加効果例その１〜その４は、任意に組み合わせて用いることもできる。また、いずれかの付加効果をＯＮ／ＯＦＦする切替ボタンを本体操作部またはリモコン装置などの操作部に設け、ユーザが付加効果をＯＮ／ＯＦＦできるようにしてもよい。
【００６３】
＜実施の形態６＞
実施形態１〜５では、番組情報の重要度に応じて、番組セルを３Ｄ表示する際にどの程度セルを飛び出させるかを定めることを説明した。本発明の実施形態６では、番組情報の重要度を定める基準について、実施形態１〜５とは異なるものを説明する。
【００６４】
図１２は、本実施形態６に係る番組情報表示装置２００の機能ブロック図である。本実施形態２において、番組情報取得部２１０は、電子番組表に加え、ネットワーク上（例えばインターネット上）に存在する番組情報提供装置３００より、将来放送される番組の人気予測に関する情報を取得する。記憶部２２０は、実施形態１〜５で説明した情報に加えて、文字列リスト２２２、出演者名リスト２２３、予約リスト２２４を格納する。その他の構成は実施形態１〜５と同様である。
【００６５】
番組情報提供装置３００は、例えば運営業者が人気投票やアンケートなどにより将来放送される番組の人気予測を作成し、その結果をネットワーク経由で配信する装置である。ここでいう人気予測とは、例えば視聴率予測結果、回数限定で放送される番組である旨の情報（例えば年末に１回のみ放送される特別番組である旨の情報）、などのように、番組情報表示装置２００のユーザがその番組を視聴したいと思うか否か判断する参考になるような情報としての側面がある。
【００６６】
文字列リスト２２２は、番組情報表示装置２００のユーザが関心を有する事項を文字列として記述したリストであり、ユーザが自ら設定して記憶部２２０に格納しておく。文字列リスト２２２に記述する内容は、例えば番組タイトルに含まれると想定される文字列の一部などが考えられる。
【００６７】
出演者名リスト２２３は、番組情報表示装置２００のユーザが関心を有する番組出演者の名称を記述したリストであり、ユーザが自ら設定して記憶部２２０に格納しておく。
【００６８】
予約リスト２２４は、録画予約または視聴予約されている番組を特定する識別子などの情報を記述したリストである。番組情報表示装置２００自身が録画予約または視聴予約を実施する場合はその番組の識別子などを記録すればよいし、別の装置が録画予約または視聴予約を実施する場合はその装置に定期的に問い合わせるなどして予約されている番組の識別子などを取得すればよい。
【００６９】
以上、本実施形態６に係る番組情報表示装置２００の構成を説明した。次に本実施形態６における番組情報表示装置２００の動作を説明する。番組情報表示装置２００は、以下のいずれかの手法により、３Ｄ表示する番組セルをどの程度飛び出させるかを定める。
【００７０】
（飛び出し量を定める手法その１：人気予測）
番組情報表示部２３０は、番組セルを３Ｄ表示する際に、番組情報提供装置３００からあらかじめ入手した人気予測が高い番組ほど、飛び出し量を大きくする。人気予測が高い番組は、番組情報表示装置２００のユーザも視聴したいであろうと予測されるので、ユーザがその番組に眼を留めやすくするためである。
【００７１】
（飛び出し量を定める手法その２：文字列リスト２２２）
番組情報表示部２３０は、番組セルを３Ｄ表示する際に、文字列リスト２２２に記述されている文字列を番組情報内に多く含む番組ほど、飛び出し量を大きくする。ユーザの関心事項を番組情報内に多く含む番組は、ユーザも視聴したいであろうと予測されるからである。
【００７２】
（飛び出し量を定める手法その３：出演者名リスト２２３）
番組情報表示部２３０は、番組セルを３Ｄ表示する際に、出演者名リスト２２３に記述されている出演者が番組情報内に多く含まれている番組ほど、飛び出し量を大きくする。ユーザが関心を有する出演者が多く出演する番組は、ユーザも視聴したいであろうと予測されるからである。出演者名が一致するかどうかは、単純に文字列比較によって判断してもよいし、多少の誤差を丸めて許容するようにしてもよい。
【００７３】
（飛び出し量を定める手法その４：予約リスト２２４）
番組情報表示部２３０は、番組セルを３Ｄ表示する際に、予約リスト２２４に記述されている番組はその他の番組よりも飛び出し量を大きくする。予約済みであることをユーザに記憶喚起するためのものである。番組セル内に、予約済みであることを示すアイコンなどを併せて表示してもよい。
【００７４】
（飛び出し量を定める手法その５：視聴履歴）
番組情報表示部２３０は、ユーザが番組を視聴した履歴を記憶部２２０に定常的に格納しておき、ユーザが毎回視聴している番組については、その視聴頻度が多いほど当該番組セルの飛び出し量を大きくする。毎回視聴している番組は、ユーザも見逃したくないであろうと思われるので、ユーザに注意喚起するためである。
【００７５】
（飛び出し量を定める手法その６：以上の組み合わせ）
上記手法その１〜その５は、任意に組み合わせることができる。例えば、人気予測が高く出演者名リスト２２３に記述されている出演者が出演する番組は、単に人気予測が高い番組よりも飛び出し量を大きくすることが考えられる。あるいは、番組情報提供装置３００から、特別番組であるか否かを示す情報が得られない場合には、番組タイトルに「スペシャル」などの特別番組へ典型的に付与されるタイトルが含まれているか否かによって、飛び出し量を決定してもよい。この場合は、文字列リスト２２２に、特別番組へ典型的に付与される文字列を記述しておけばよい。
【００７６】
＜実施の形態７＞
実施の形態１では、番組セルを３Ｄ表示することによって番組セル同士が重なり合う場合には、番組セルの描画パラメータを調整することにより、番組情報を隠してしまわないようにすることを説明した。本発明の実施形態７では、番組セルのレイアウトを調整することにより番組情報を隠さないようにする具体例を説明する。番組情報表示装置２００の構成は実施形態１〜６と同様であるため、以下では番組セルのレイアウトを調整する点を中心に説明する。
【００７７】
図１３は、番組セルを半透明にした表示例を示す図である。図１３において、３Ｄ表示した番組セルが隣接する番組セルの一部を覆い、番組情報の一部が隠れてしまう。そこで番組情報表示部２３０は、上側の番組セルを半透明に描画し、下側の番組セルの内容が透過して見えるようにしている。
【００７８】
図１４は、番組セル間の間隔を広げた表示例を示す図である。図１４において、番組情報表示部２３０は、３Ｄ表示した番組セルとその周辺の番組セルとの間の間隔を広げ、番組セル同士が重ならないようにセルレイアウトを変更している。ここでは３Ｄ表示した番組セルに隣接する番組セルのみレイアウトを調整したが、レイアウトバランスが崩れないように番組表全体のレイアウトを再調整してもよい。例えば全番組セルのセル間隔を同様に広げてもよい。
【００７９】
図１５は、番組セルのサイズを小さくした表示例を示す図である。図１５において、番組情報表示部２３０は、番組セルを３Ｄ表示することによって覆い隠される周辺セルのサイズを小さくすることにより、番組セル同士が重なり合わないようにしている。ここでは３Ｄ表示した番組セルに隣接する番組セルのみレイアウトを調整したが、レイアウトバランスが崩れないように番組表全体のレイアウトを再調整してもよい。例えば全番組セルのセルサイズを同様に小さくしてもよい。
【００８０】
図１６は、番組セルのサイズを小さくした上でそのセル内の文字間隔を狭くした表示例を示す図である。図１５のように番組セルのサイズを小さくすると、そのセル内の文字列を表示するエリアが狭くなってしまう。そこで番組情報表示部２３０は、サイズを小さくした番組セル内の文字間隔を狭くし、より多くの文字列を表示できるようにしている。
【００８１】
図１７は、番組セル内の文字列サイズを小さくした表示例を示す図である。図１６のように番組セル内の文字間隔を狭くすることに代えて、文字列サイズを小さくすることによっても、同様の効果を発揮することができる。サイズを小さくする文字列は、セル内の全文字列でもよいし、例えば番組タイトル部分のみのように一部のみでもよい。文字列サイズを小さくする具体的な手法は、例えば文字フォントをより小さいものに変更してもよいし、文字列が縁取りによって強調表示されているような場合には縁取りを削除して文字全体を一回り小さくしてもよい。
【００８２】
図１８は、番組セル内の文字列配置を変更した表示例を示す図である。図１３〜図１７では、番組情報表示部２３０は番組セルのレイアウトを変更することによって番組情報が重ならないようにしているが、図１８では番組セルのレイアウトは変更せず、セル内の文字列が３Ｄ表示した番組セルと重ならないように配置変更することにより、番組情報が重ならないようにしている。
【００８３】
＜実施の形態７：まとめ＞
以上、本実施形態７では、番組セルを３Ｄ表示した際に、番組情報が互いに重なり合わないようにする具体例を説明した。本実施形態７で説明した各手法は、組み合わせて用いることもできる。例えば、番組表全体のレイアウトが崩れない程度に番組セル間の間隔を僅かに広げ、それでも番組情報が重なり合う場合には番組セルのサイズ、文字列サイズ、文字列配置などを変更する、などの手法が考えられる。
【００８４】
なお、番組情報表示部２３０が番組セルや文字列のレイアウトをどの程度変更すれば番組情報が互いに重なり合わないかについては、３Ｄ表示する番組セルおよびその他の番組セルの表示座標と、３Ｄ効果により飛び出させる量との相関関係によって算出することができる。
【００８５】
＜実施の形態８＞
本発明の実施形態８では、実施形態１〜７で説明した番組情報表示装置２００の機能を搭載したテレビジョン受像機（テレビ）の構成例を説明する。本実施形態８に係るテレビは、実装上、実施形態１〜７で説明した番組情報表示装置２００の各機能ブロックに相当する機能部を備える。実施形態１〜７で説明した構成と本実施形態８に係る構成の対応関係については、別途説明する。
【００８６】
図１９は、本実施形態８に係るテレビ１の構成を示すブロック図である。図１９に示すように、テレビ１は、３つのＨＤＭＩ入力端子１１ａ〜１１ｃ、ＨＤＭＩスイッチ１１ｄ、ＨＤＭＩレシーバ１００、映像入力端子１０１ａ、音声入力端子１０１ｂ、ＢＤ（Ｂｌｕ−ｒａｙ（登録商標）Ｄｉｓｃ）ドライブ１０２、チューナ１０３、ＩＰ放送チューナ１０４、衛星放送チューナ１０５、ＯＳＤ（Ｏｎ  Ｓｃｒｅｅｎ  Ｄｉｓｐｌａｙ）生成部１０６、映像セレクタ１０７、映像処理回路１０８、ＬＣＤ（Ｌｉｑｕｉｄ  Ｃｒｙｓｔａｌ  Ｄｉｓｐｌａｙ）コントローラ１０９、ＬＣＤ１１０、音声セレクタ１１１、音声処理回路１１２、デジタルアンプ１１３、スピーカ１１４、イーサネットＩ／Ｆ１１５、ＲＯＭ（Ｒｅａｄ  Ｏｎｌｙ  Ｍｅｍｏｒｙ）１１６、ＲＡＭ（Ｒａｎｄｏｍ  Ａｃｃｅｓｓ  Ｍｅｍｏｒｙ）１１７、ＣＰＵ１１８、リモコン赤外線受光部１１９、ＩｒＳＳ赤外線受光部１２０、ＵＳＢ・Ｉ／Ｆ１２１、スイッチ１３０、３Ｄ処理部１３１、２Ｄ−３Ｄ変換部１３２、および、眼鏡制御部１３３を備えている。図１９においては、映像信号の経路を実線で、音声信号の経路を１点鎖線で、データや制御信号の経路（バス）を太線で示している。
【００８７】
（１）ＨＤＭＩレシーバ１００が受信した映像、（２）映像入力端子１０１ａから入力された映像、（３）ＢＤドライブ１０２がＢＤから読み出した映像、（４）チューナ１０３が受信した映像、（５）ＩＰ放送チューナ１０４が受信した映像、および、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、および、（６）衛星放送チューナ１０５が受信した音声は、それぞれ、音声セレクタ１１１に供給される。
【００８８】
なお、（ａ）ＨＤＭＩレシーバ１００が何れのＨＤＭＩ入力端子に接続されるか、すなわち、ＨＤＭＩスイッチ１１ｄが何れのＨＤＭＩ入力端子から入力されたコンテンツをＨＤＭＩレシーバ１００に供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを選局する選局制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００８９】
ＨＤＭＩレシーバ１００、ＢＤドライブ１０２、チューナ１０３、ＩＰ放送チューナ１０４、衛星放送チューナ１０５は、映像信号とともに番組情報（電子番組表）を受け取った場合、これを抽出する機能を備える。
【００９０】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、および、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００９１】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、および、コントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、スイッチ１３０に供給される。なお、映像処理回路１０８が画質をどのように変化させるか、および、映像をどの程度縮小するかは、ＣＰＵ１１８によって制御される。
【００９２】
ＯＳＤ生成部１０６は、映像処理回路１０８から出力される映像に重ねて表示するＯＳＤ画像を生成する。ここでいうＯＳＤ画像には、番組表も含まれる。ＯＳＤ生成部１０６が生成したＯＳＤ画像は、加算器により、映像処理回路１０８から供給された映像に加算されて、スイッチ１３０に供給される。なお、映像処理回路１０８から供給される映像がサイドバイサイド方式、トップアンドボトム方式などの３Ｄ映像である場合、ＯＳＤ生成部１０６は、当該方式に応じたＯＳＤ画像を生成する。ただし、実施形態４で説明したように、３Ｄ番組映像と番組表を同じ画面に表示するときは例外である。どのようなＯＳＤ画像を生成するかは、ＣＰＵ１１８によって制御される。
【００９３】
また、ＯＳＤ生成部１０６は、ＩｒＳＳ赤外線受光部１２０が受信した静止画像（以下、「受信画像」とも呼称する）をデコードする機能を有している。受信画像が２次元画像である場合、ＯＳＤ生成部１０６は、その２次元画像をデコードすることにより得られた画像をコマ画像とする２次元映像を生成し、スイッチ１３０に供給する。受信画像が３次元画像である場合、ＯＳＤ生成部１０６は、その３次元画像をデコードすることにより得られた右目用画像と左目用画像との両方を含むコマ画像からなる３次元映像（サイドバイサイド方式またはトップアンドボトム方式）を生成し、スイッチ１３０に供給する。
【００９４】
なお、ＯＳＤ制御部１０６は、受信画像をデコードすることにより得られた左目用画像と右目用画像を格納するデコード用バッファとは別に、スイッチ１３０に供給する左目用画像と右目用画像とを格納する表示用バッファとを備えていてもよい。なお、ＯＳＤ生成部１０６内に設けられた２つの記憶部をデコード用バッファおよび表示用バッファとして使用する構成に代えて、ＲＡＭ１１７内に設けられた２つの領域を表示用バッファおよびデコード用バッファとして使用する構成を採用してもよい。
【００９５】
映像処理回路１０８およびＯＳＤ生成部１０６から出力される２次元映像は、表示モードが２次元表示モードである場合、直接ＬＣＤコントローラ１０９に供給され、表示モードが３次元表示モードである場合、２Ｄ−３Ｄ変換部１３２および３Ｄ処理部１３１を介してＬＣＤコントローラ１０９に供給される。また、映像処理回路１０８およびＯＳＤ生成部１０６から出力される３次元映像は、表示モードが２次元表示モードである場合、２Ｄ−３Ｄ変換部１３２を介してＬＣＤコントローラ１０９に供給され、表示モードが３次元表示モードである場合、３Ｄ処理部１３１を介してＬＣＤコントローラ１０９に供給される。映像信号供給路のこのような切り替えは、図１９に示すようにスイッチ１３０によって実現される。
【００９６】
３Ｄ処理部１３１は、右目用画像と左目用画像との両方を含むコマ画像からなる３次元映像（サイドバイサイド方式またはトップアンドボトム方式）を、右目用画像のみを含む右目用コマ画像と左目用画像のみを含む左目用コマ画像とからなる３次元映像に変換するものである。例えば、変換前の映像信号がサイドバイサイド方式の映像信号である場合、３Ｄ処理部１３１は、（１）変換前の３次元映像を構成する各コマ画像の右半分を横方向に２倍に拡大することによって右目用コマ画像を生成し、（２）変換前の３次元映像を構成する各コマ画像の左半分を横方向に２倍に拡大することによって左目用コマ画像を生成し、（３）生成した右目用コマ画像と左目用コマ画像とを交互に出力する。このため、３Ｄ処理部１３１から出力される映像のフレームレート（例えば２４０フレーム／秒）は、３Ｄ処理部１３１に入力される映像のフレームレート（例えば１２０フレーム／秒）の２倍になる。
【００９７】
２Ｄ−３Ｄ変換部１３２は、２次元映像から擬似３次元映像を生成する機能、および、３次元映像から２次元映像を抽出する機能を有する。具体的には、表示モードが２次元表示モードであるときには、映像処理回路１０８およびＯＳＤ生成部１０６から供給された３次元映像を２次元映像に変換し、表示モードが３次元表示モードであるときには、映像処理回路１０８およびＯＳＤ生成部１０６から供給された２次元映像を擬似３次元映像に変換する。２次元映像から３次元映像への変換は、例えば、２次元映像を構成するコマ画像から右目用画像と左目用画像とを生成し、生成した右目用画像と左目用画像との両方を含む画像をコマ画像とすることによって実現される。また、３次元映像から２次元映像への変換は、例えば、３次元映像を構成するコマ画像に含まれる左目用画像を抽出し、抽出した左目用画像をコマ画像とすることによって実現される。
２Ｄ−３Ｄ変換部１３２は、番組表の番組セルの表示形式を２Ｄ表示または３Ｄ表示に切り替える役割も有する。
【００９８】
音声セレクタ１１１は、（１）ＨＤＭＩレシーバ１００から供給された音声、（２）映像入力端子１０１ａから供給された音声、（３）ＢＤドライブ１０２から供給された音声、（４）チューナ１０３から供給された音声、（５）ＩＰ放送チューナ１０４から供給された音声、および、（６）衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００９９】
音声処理回路１１２は、音声セレクタ１１１から供給された音声の音量および音質を調整する。ここで、音質の調整とは、音声セレクタ１１１から供給された音声の周波数特性を変化させること（例えば、低域の強調や高域の強調など）を指す。音声処理回路１１２によって音量および音質を調整された音声は、デジタルアンプ１１３に供給される。なお、音声処理回路１１２によって音量および音質をどのように変化させるかは、ＣＰＵ１１８によって制御される。
【０１００】
デジタルアンプ１１３は、音声処理回路１１２から供給された音声が出力されるようにスピーカ１１４を駆動する。これにより、音声セレクタ１１１により選択された音声がスピーカ１１４から出力される。
【０１０１】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Ｓｃａｌａｂｌｅ  Ｖｅｃｔｏｒ  Ｇｒａｐｈｉｃｓ）データなども、このＲＯＭ１１６に格納される。また、ＲＯＭ１１６は、ＥＥＰＲＯＭであってもよい。
【０１０２】
ＲＡＭ１１７は、ＣＰＵ１１８が演算のために参照するデータ、および、ＣＰＵ１１８が演算によって生成したデータなどの可変データが格納される、読み出し可能かつ書き込み可能なメモリである。ＲＡＭ１１７には、ＩｒＳＳ赤外線受光部１２０が受信した受信画像も格納される。また、ＲＡＭ１１７は、ハードディスクドライブであってもよいし、Ｆｌａｓｈメモリであってもよい。
【０１０３】
イーサネットＩ／Ｆ１１５は、テレビ１をネットワークに接続するためのインターフェースである。上述したＩＰ放送チューナ１０４は、このイーサネットＩ／Ｆ１１５を介してインターネット上のサーバにアクセスする。イーサネットＩ／Ｆは、ＬＡＮケーブルの接続するインターフェースであってもよいし、同軸ケーブルを接続するインターフェースであってもよい。
【０１０４】
また、イーサネットＩ／Ｆ１１５は、有線ケーブルに限定されない。たとえば、無線ＬＡＮ、Ｂｌｕｅｔｏｏｔｈ、およびＷｉｆｉなどの無線ネットワークへ接続するためのインターフェースであってもよい。
【０１０５】
リモコン赤外線受光部１１９は、リモートコントローラ（リモコン）からのリモコン信号を受信する。リモコン赤外線受光部１１９は、受信したリモコン信号を、ＣＰＵ１１８に通知する。
【０１０６】
ＩｒＳＳ赤外線受光部１２０は、ＩｒＳＳを用いた近距離無線通信により、デジタルカメラ等から送信された静止画像を受信するための手段である。ＩｒＳＳ赤外線受光部１２０は、受信した受信画像を、ＣＰＵ１１８に通知する。
【０１０７】
ＵＳＢ・Ｉ／Ｆ１２１は、ＵＳＢメモリをテレビ１に接続するためのインターフェースである。テレビ１は、このＵＳＢ・Ｉ／Ｆ１２１を介してＵＳＢメモリ内のデータを参照する。また、ＵＳＢ・Ｉ／Ｆ１２１は、ＵＳＢメモリを接続するインターフェースに限定されない。例えば、ＳＤカードを接続するインターフェースであってもよいし、外付けのハードディスクドライブや、ＢＤドライブを接続するインターフェースであってもよい。
【０１０８】
ＬＣＤコントローラ１０９は、映像処理回路１０８からスイッチ１３０を経由して供給された映像、ＩｒＳＳ赤外線受光部が受信した画像、２Ｄ−３Ｄ変換部１３２より変換された画像が表示されるようにＬＣＤ１１０を駆動する。これにより、映像セレクタ１０７により選択された映像、もしくは、ＩｒＳＳ赤外線受光部１２０が受信した受信画像がＬＣＤ１１０から出力される。なお、ＯＳＤ生成部１０６からＯＳＤ画像が供給されている場合、ＬＣＤコントローラ１０９は、ＯＳＤ生成部１０６から供給されたＯＳＤ画像を映像、もしくは受信画像に重ねて表示する。
【０１０９】
また、ＬＣＤコントローラ１０９は、パネル駆動速度の変更や３Ｄ眼鏡駆動の設定を行う。ＬＣＤコントローラ１０９は、３次元表示する場合、３Ｄ眼鏡駆動の設定にて行った、左目用画像と右目用画像との表示タイミングを眼鏡制御部１３３に通知する。
【０１１０】
眼鏡制御部１３３は、ＬＣＤコントローラ１０９から受信した表示タイミングに同期して、アクティブシャッターメガネ方式の３Ｄ眼鏡を制御する制御信号を送信するよう、赤外線発光部１２２を制御する。アクティブシャッターメガネ方式とは、テレビ１が左目用映像と右目用映像とを交互に表示するタイミングに同期して、交互に３Ｄ眼鏡のレンズを開閉する方式である。
【０１１１】
ＣＰＵ１１８は、リモコン赤外線受光部１１９が受信したリモコン信号に応じて上記各部を制御する。リモコン赤外線受光部１１９を用いた制御としては、例えば、チューナ１０３にて選択するチャンネルをリモコン信号に応じて切り替える制御や、映像セレクタ１０７および音声セレクタ１１１にて選択する映像および音声をリモコン信号に応じて切り替える制御などが挙げられる。また、ＬＣＤ１１０に表示されている画像の表示を、２次元表示から３次元表示に、もしくは、３次元表示から２次元表示に切り替えるようスイッチ１３０を制御する。
【０１１２】
また、ＣＰＵ１１８は、ＩｒＳＳ赤外線受光部１２０が受信した受信画像が、２次元画像であるか３次元画像であるかを判定する手段である。ＣＰＵ１１８は、受信画像をＲＡＭ１１７に格納すると共に、判定結果と受信画像とをＯＳＤ生成部１０６に通知する。また、該判定結果に基づいて、処理を切り替えるようスイッチ１３０を制御する。
【０１１３】
実施形態１〜５における番組情報取得部２１０は、ＨＤＭＩレシーバ１００、ＢＤドライブ１０２、チューナ１０３、ＩＰ放送チューナ１０４、衛星放送チューナ１０５が相当する。記憶部２２０は、ＲＯＭ１１６またはＲＡＭ１１７が相当する。番組情報表示部２３０は、ＯＳＤ生成部１０６、映像処理回路１０８、２Ｄ−３Ｄ変換部１３２、３Ｄ処理部１３１が相当する。画面表示部２４０は、ＬＣＤコントローラ１０９およびＬＣＤ１１０が相当する。
【０１１４】
＜実施の形態８：まとめ＞
以上、本実施形態８では、実施形態１〜６で説明した番組情報表示装置２００の機能を搭載したテレビ１の構成例を説明した。番組情報表示装置２００の機能を搭載する機器のその他の例として、例えば番組録画装置、テレビ放送を受信することのできる携帯端末、などが考えられる。
【０１１５】
＜実施の形態９＞
実施形態１〜７で説明した番組情報表示装置２００の各機能部、および実施形態８で説明したテレビ１の各機能ブロックは、集積回路（ＩＣチップ）上に形成された論理回路によってハードウェア的に実現してもよいし、ＣＰＵを用いてソフトウェア的に実現してもよい。
【０１１６】
後者の場合、番組情報表示装置２００またはテレビ１は、各機能を実現するプログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである番組情報表示装置２００またはテレビ１の制御プログラムのプログラムコード（実行形式プログラム、中間コードプログラム、ソースプログラム）をコンピュータで読み取り可能に記録した記録媒体を、上記番組情報表示装置２００またはテレビ１に供給し、そのコンピュータ（またはＣＰＵやＭＰＵ）が記録媒体に記録されているプログラムコードを読み出し実行することによっても、達成可能である。
【０１１７】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１１８】
また、番組情報表示装置２００またはテレビ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１１９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１２０】
１：テレビ、１１ａ〜１１ｃ：ＨＤＭＩ入力端子、１１ｄ：ＨＤＭＩスイッチ、１００：ＨＤＭＩレシーバ、１０１ａ：映像入力端子、１０１ｂ：音声入力端子、１０２：ＢＤドライブ、１０３：チューナ、１０４：ＩＰ放送チューナ、１０５：衛星放送チューナ、１０６：ＯＳＤ生成部、１０７：映像セレクタ、１０８：映像処理回路、１０９：ＬＣＤコントローラ、１１０：ＬＣＤ、１１１：音声セレクタ、１１２：音声処理回路、１１３：デジタルアンプ、１１４：スピーカ、１１５：イーサネットＩ／Ｆ、１１６：ＲＯＭ、１１７：ＲＡＭ、１１８：ＣＰＵ、１１９：リモコン赤外線受光部、１２０：ＩｒＳＳ赤外線受光部、１２１：ＵＳＢ・Ｉ／Ｆ、１２２：赤外線発光部、１３０：スイッチ、１３１：３Ｄ処理部、１３２：２Ｄ−３Ｄ変換部、１３３：眼鏡制御部、２００：番組情報表示装置、２１０：番組情報取得部、２２０：記憶部、２２１：ユーザ嗜好情報、２２１１：属性種別列、２２１２：属性値列、２２１３：属性重要度列、２３０：番組情報表示部、２４０：画面表示部。
【図１】
0005166611.tif 000002
【図２】
0005166611.tif 000003
【図３】
0005166611.tif 000004
【図４】
0005166611.tif 000005
【図５】
0005166611.tif 000006
【図６】
0005166611.tif 000007
【図７】
0005166611.tif 000008
【図８】
0005166611.tif 000009
【図９】
0005166611.tif 000010
【図１０】
0005166611.tif 000011
【図１１】
0005166611.tif 000012
【図１２】
0005166611.tif 000013
【図１３】
0005166611.tif 000014
【図１４】
0005166611.tif 000015
【図１５】
0005166611.tif 000016
【図１６】
0005166611.tif 000017
【図１７】
0005166611.tif 000018
【図１８】
0005166611.tif 000019
【図１９】
0005166611.tif 000020